(57)【要約】【課題】飲料用容器に詰められる飲料に応じて、ケース内部にこの飲料と関連するものを収納することができ、自動販売機でも販売可能なケース付き飲料用容器を得る。【解決手段】頂部に飲み口を備えた飲料用容器であって、該容器の低部に収納ケースを備えているもの。【選択図】      図１
2006051953.tif 000002
【特許請求の範囲】
【請求項１】
頂部に飲み口を備えた飲料用容器であって、
該容器の低部に収納ケースを備えていることを特徴とするケース付き飲料用容器。
【請求項２】
前記収納ケースが、前記飲料用容器の側壁に対して略面一とする側壁と、前記飲料用容器の低部と略同一外形の低部と、前記飲料用容器の低部に結合する結合手段とを備えたことを特徴とする請求項１に記載のケース付き飲料用容器。
【請求項３】
前記結合手段が、前記側壁の上縁部と前記飲料用容器の低部周縁部との接着によるものであることを特徴とする請求項２に記載のケース付き飲料用容器。
【請求項４】
前記結合手段が、前記飲料用容器の周縁下部に底面周縁に突設されたリム部と、前記収納ケースの側壁上部に形成された前記リム部に嵌合可能な嵌合片との嵌合によるものであることを特徴とする請求項２に記載のケース付き飲料用容器。
【請求項５】
前記結合手段が、前記飲料用容器の周縁下部に設けられたリム部内側のバヨネット部と、該バヨネット部に対向して前記収納ケースの側壁の上部外側に設けられたバヨネット部とを含むことを特徴とする請求項２に記載のケース付き飲料用容器。
【請求項６】
前記収納ケースの底部に更に別の収納ケースを結合したことを特徴とする請求項１〜５の何れかに記載のケース付き飲料用容器。
【請求項７】
スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
前記収納ケースが、前記容器の低部に、前記ケース側壁の上縁部と前記飲料用容器の低部周縁部とを接着して結合されていることを特徴とするケース付き飲料用容器。
【請求項８】
スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
該容器の周縁下部には、下方へ突設されたリム部を備え、
前記収納ケースが、前記容器の低部に、前記ケース側壁の上縁部が前記リム部に嵌合して結合されていることを特徴とするケース付き飲料用容器。
【請求項９】
スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
該容器の周縁下部には、内周側にバヨネット部を有するリム部を備え、
前記ケース側壁の上部縮径部の外周側には前記リム部のバヨネット部と係合するバヨネット部を備え、
前記収納ケースが、前記リム部とケース側壁とのバヨネット係合により取り外し可能に結合されていることを特徴とするケース付き飲料用容器。
【発明の詳細な説明】
【０００１】
【発明の属する技術分野】
本発明はケース内部にサプリメント・タブレット等を収納することができるケース付き飲料用容器に関するものである。
【０００２】
【従来の技術】
近年、自動販売機でも、３５０ｍＬの缶飲料の他に、３６０〜５００ｍＬ程度のＰＥＴボトルに詰められた飲料が販売されている。
【０００３】
1970年代前半頃までプラスチックボトルは、加工しやすく安価でガス遮断性に優れた塩化ビニール製が主流だったが、樹脂から溶け出す物質の発ガン性の恐れが指摘されるようになり、別の素材が求められていた。これを受けて、ＰＥＴ（ポリエチレンテレフタレート）樹脂は軽く丈夫で耐熱性や透明性に優れ、また吸水性が低くガス遮断性（空気を通しにくく中身の酸化や劣化を防ぐ性質）にも優れている。これらの特性から、従来の重く割れやすいガラスびんに代わるものとしてペットボトルが開発された。
【０００４】
更に近年になって、リサイクル率の低いＰＥＴボトルに対して、リサイクル率の高いアルミ製のボトル缶が製造され、このボトル缶に封入した飲料が多数出回っている。このボトル缶は、ＰＥＴボトルのリシール性（飲み口をキャップで密栓することにより何回でもシール可能）をそのままに、キャップ部分もアルミ製として分別不要とすることのできる利点があり、ＰＥＴボトルよりも高いガス遮断性、光遮断性を有する飲料用容器である。
【０００５】
一方、現代人に不足しがちなビタミン類を補強した清涼飲料も販売されている。この清涼飲料は、配合される成分のため、厚生労働省の医薬認可を受けた栄養剤（所謂、栄養ドリンク）に近い味を持つため、清涼飲料として飲用するには個人差があった。
【０００６】
そこで、タブレット状となった栄養補助食品（サプリメント）を接種する人も増えてきた。タブレット状となったサプリメントと飲料とをセットにして販売することを念頭にすると、袋詰したサプリメントを用意し、これを飲料用ボトルのネックに引っかける方法がある。
【０００７】
【発明が解決しようとする課題】
しかしながら、これは店頭で販売しているものであれば良いが、自動販売機で販売しようとすると、袋が引っかかる虞がある。
【０００８】
本発明は、飲料用容器に詰められる飲料に応じて、ケース内部にこの飲料と関連するものを収納することができ、自動販売機でも販売可能なケース付き飲料用容器を得ることを目的とする。更に、収納ケースを繰り返し着脱可能にするケース付き飲料用容器を得ることを別の目的とする。
【０００９】
【課題を解決するための手段】
請求項１に記載された発明に係るケース付き飲料用容器は、頂部に飲み口を備えた飲料用容器であって、
該容器の低部に収納ケースを備えているものである。
【００１０】
請求項２に記載された発明に係るケース付き飲料用容器は、請求項１に記載の収納ケースが、前記飲料用容器の側壁に対して略面一とする側壁と、前記飲料用容器の低部と略同一外形の低部と、前記飲料用容器の低部に結合する結合手段とを備えたものである。
【００１１】
請求項３に記載された発明に係るケース付き飲料用容器は、請求項２に記載の結合手段が、前記側壁の上縁部と前記飲料用容器の低部周縁部との接着によるものである。
【００１２】
請求項４に記載された発明に係るケース付き飲料用容器は、請求項２に記載の結合手段が、前記飲料用容器の周縁下部に底面周縁に突設されたリム部と、前記収納ケースの側壁上部に形成された前記リム部に嵌合可能な嵌合片との嵌合によるものである。
【００１３】
請求項５に記載された発明に係るケース付き飲料用容器は、請求項２に記載の結合手段が、前記飲料用容器の周縁下部に設けられたリム部内側のバヨネット部と、該バヨネット部に対向して前記収納ケースの側壁の上部外側に設けられたバヨネット部とを含むものである。
【００１４】
請求項６に記載された発明に係るケース付き飲料用容器は、請求項１〜５の何れかに記載の収納ケースの底部に更に別の収納ケースを結合したものである。
【００１５】
請求項７に記載された発明に係るケース付き飲料用容器は、スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
前記収納ケースが、前記容器の低部に、前記ケース側壁の上縁部と前記飲料用容器の低部周縁部とを接着して結合されているものである。
【００１６】
請求項８に記載された発明に係るケース付き飲料用容器は、スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
該容器の周縁下部には、下方へ突設されたリム部を備え、
前記収納ケースが、前記容器の低部に、前記ケース側壁の上縁部が前記リム部に嵌合して結合されているものである。
【００１７】
請求項９に記載された発明に係るケース付き飲料用容器は、スクリューキャップで密栓が可能な飲み口を頂部に備えたボトル状飲料用容器の低部に、前記飲料用容器の低部と略同一外形のケース低部と前記飲料用容器の側壁に対して略面一とするケース側壁とを備えた収納ケースを備えた容器であって、
該容器の周縁下部には、内周側にバヨネット部を有するリム部を備え、
前記ケース側壁の上部縮径部の外周側には前記リム部のバヨネット部と係合するバヨネット部を備え、
前記収納ケースが、前記リム部とケース側壁とのバヨネット係合により取り外し可能に結合されているものである。
【００１８】
【発明の実施の形態】
本発明においては、頂部に飲み口を備えた飲料用容器の低部に収納ケースを備えているものである。このため、自動販売機でも販売可能なケース付き飲料用容器を得ることができる。
【００１９】
本発明の飲料用容器としては、頂部に飲み口を備えたものであれば良く、例えば、瓶、缶、ペーパー缶（カートカン）、ＰＥＴボトル、缶ボトル、紙ボトル等が挙げられる。より好ましくは、頂部の飲み口がリシール性の高いもの、具体的にはスクリューキャップで再封止可能なボトル容器が挙げられる。
【００２０】
本発明の収納ケースは、飲料用容器に詰められる飲料に応じて、ケース内部にこの飲料と関連するものを収納することができる。例えば、飲料がミネラルウォータ等であればサプリメントのタブレット、飲料が酒類であればおつまみ、子供向けのジュースであれば販促用のおまけ等種々のものを収納して販売することができる。
【００２１】
本発明の収納ケースの外観は、例えばタブレット等の小さいものであれば、これをブリスター包装やストリップ包装された状態で飲料用容器の底に粘着シートで貼付けるものもあるが、より好ましくは、飲料用容器の側壁に対して略面一とする側壁と、飲料用容器の低部と略同一外形の低部と、飲料用容器の低部に結合する結合手段とを備える。即ち、収納ケースの側壁及び低部については、収納ケースを飲料用容器に一体としたまま自動販売機で販売できるように、ケース側壁は飲料用容器の側壁に対して略面一とし、ケース低部は飲料用容器の低部と略同一外形とする。尚、飲料用容器と収納ケースとを一体とした際の高さについては、自動販売機で取り扱える高さとすればよい。
【００２２】
飲料用容器と収納ケースとの結合については、既存の飲料用容器の低部に結合することができれば良く、また、一体となったときに全体的なシルエットが略同一となるようなケース側壁とケース低部との形状等を選べばよい。飲料用容器と収納ケースとのつなぎ部分については、飲料用容器の低部の縮径に伴う凹部が形成されても良く、この凹部を外装フィルムで覆っても良い。尚、外装フィルムで覆う場合には切り離し用のミシン目等を入れておくと良い。
【００２３】
飲料用容器と収納ケースとの結合手段としては、既存の飲料用容器の低部の形状に応じて収納ケースの側壁の上部を合致するように形成した後、単純に接着剤等による接着で結合させても良く、繰り返し着脱可能にするため、飲料用容器の低部の構造と収納ケースの側壁上部の構造とを設計しても良い。
【００２４】
１つの好ましい態様としての結合手段が、容器の周縁下部に底面周縁に突設されたリム部と、収納ケースの側壁上部に形成された前記リム部に嵌合可能な嵌合片との嵌合によるものが挙げられる。
【００２５】
別の好ましい態様としての結合手段が、飲料用容器の周縁下部に設けられたリム部内側のバヨネット部と、このバヨネット部に対向して前記収納ケースの側壁の上部外側に設けられたバヨネット部とを含むものが挙げられる。
【００２６】
本発明の収納ケースについては、１つの収納ケースを飲料用容器の低部に取付けるだけではなく、２つ以上の収納ケースを連ねて飲料用容器の低部に取付けても良い。即ち、収納ケースの底部に更に別の収納ケースを結合させても良い。
【００２７】
【実施例】
図１は本発明のケース付き飲料用容器の一実施例の構成を示す説明図である。図２は図１の収納ケースの構成を示す説明図である。図に示す通り、スクリューキャップ１２で密栓が可能な飲み口１０が頂部に備わったＰＥＴ製のボトル状飲料用容器１１（所謂、ペットボトル）がある。この容器１１の低部１３に、容器１１の低部１３と略同一の円形状のケース低部２３と、容器１１の側壁１４に対して略面一とするケース側壁２４との外観を備えたプラスチック製の収納ケース２１を備えている。
【００２８】
収納ケース２１は、飲料用容器１１の低部の縮径部１５を嵌着される上部構造２５と、内部にサプリメントのタブレットを収納する下部収納部２６とがミシン目に沿って水平方向に切り取られる切り取り部２７によって繋がっている。尚、上部構造２５と飲料用容器の低部の縮径部１５とは、嵌着部分を接着剤で接着して固定されている。
【００２９】
図３は本発明のケース付き飲料用容器の別の実施例の構成を示す説明図である。図４は図３の収納ケースの構成を示す説明図である。図に示す通り、スクリューキャップ３２で密栓が可能な飲み口３０が頂部に備わったアルミニウム製のボトル状飲料用容器３１（所謂、ボトル缶）がある。容器３１の周縁下部には、容器３１の底面構成材と側壁構成材とを製缶した際に形成されるリム部３５が下方に突設されている。
【００３０】
この容器３１の低部３３には、容器３１の低部３３と略同一外形のケース低部４３と、容器３１の側壁３４に対して略面一とするケース側壁４４とを備えたアルミニウム製の収納ケース４１を備えている。収納ケース４１は、容器３１の低部３３のリム部３５に嵌合される上部構造４５と、内部にサプリメントのタブレットを収納する下部収納部４６とがミシン目に沿って水平方向に切り取られる切り取り部４７によって繋がっている。
【００３１】
図５は本発明のケース付き飲料用容器の更に別の実施例の構成を示す説明図である。図６は図５の収納ケースの構成を示す説明図である。図７は図５の収納ケースを連ねた状態を示す説明図である。図に示す通り、スクリューキャップ５２で密栓が可能な飲み口５０が頂部に備わったアルミニウム製のボトル状飲料用容器５１（所謂、ボトル缶）がある。容器５１の周縁下部には、容器５１の底面構成材と側壁構成材とを製缶した際に形成されるリム部５５が下方に突設されている。このリム部５５には、バヨネット部として４つの均等位置にバヨネット片５６が内側に向かって突設されている。
【００３２】
容器５１の低部５３には、容器５１の低部５３と略同一外形のケース低部６３と、容器５１の側壁５４に対して略面一とするケース側壁６４とを備えたアルミニウム製の収納ケース６１を備えている。収納ケース６１は、ケース側壁６４の上部縮径部６５に前記リム部５５のバヨネット片５６に掛合する４つの均等位置にバヨネット片６６が外側に向かって突設されている。収納ケース６１はリム部５５バヨネット片５６とケース側壁６４のバヨネット片６６とを螺合して取付けられる。
【００３３】
収納ケース６１の低部６３には、容器５１の低部５３と同じように、収納ケース６１のリム部７５が下方に突設されており、このリム部７５には、４つの均等位置にバヨネット片７６が内側に向かって突設されている。このため、図７に示す通り、別の収納ケース８１はリム部７５バヨネット片７６とケース側壁８４のバヨネット片８６とを螺合して取付けられる。
【００３４】
本実施例の収納ケース６１、８１では、内部にサプリメントのタブレットを収納してもよいが、飲料用容器及び収納ケースがアルミニウム製であるため、熱伝導率が良好である。このため、下部の収容ケース内に空気中の酸素と結びついて発熱する発熱体を装着して飲料用容器内のお酒を温めるようにしても良い。尚この場合に、収納ケースを２段として発熱体の下の収納ケースにお猪口又は杯を収納させても良い。
【００３５】
【発明の効果】
本発明は以上説明した通り、飲料用容器に詰められる飲料に応じて、ケース内部にこの飲料と関連するものを収納することができ、自動販売機でも販売可能なケース付き飲料用容器を得ることができる。更に、収納ケースを繰り返し着脱可能にするケース付き飲料用容器を得ることができるという効果がある。
【図面の簡単な説明】
【図１】本発明のケース付き飲料用容器の一実施例の構成を示す説明図である。
【図２】図１の収納ケースの構成を示す説明図である。
【図３】本発明のケース付き飲料用容器の別の実施例の構成を示す説明図である。
【図４】図３の収納ケースの構成を示す説明図である。
【図５】本発明のケース付き飲料用容器の更に別の実施例の構成を示す説明図である。
【図６】図５の収納ケースの構成を示す説明図である。
【図７】図５の収納ケースを連ねた状態を示す説明図である。
【符号の説明】
１０…飲み口、
１１…ボトル状飲料用容器、
１２…スクリューキャップ、
１３…容器低部、
１４…容器側壁、
１５…縮径部、
２１…収納ケース、
２３…ケース低部、
２４…ケース側壁、
２５…上部構造、
２６…下部収納部、
２７…切り取り部、
３０…飲み口、
３１…ボトル状飲料用容器、
３２…スクリューキャップ、
３３…容器低部、
３４…容器側壁、
３５…リム部、
４１…収納ケース、
４３…ケース低部、
４４…ケース側壁、
４５…上部構造、
４６…下部収納部、
４７…切り取り部、
５０…飲み口、
５１…ボトル状飲料用容器、
５２…スクリューキャップ、
５３…容器低部、
５４…容器側壁、
５５…リム部、
５６…バヨネット片、
６１…収納ケース、
６３…ケース低部、
６４…ケース側壁、
６５…上部縮径部、
６６…バヨネット片、
７５…リム部、
７６…バヨネット片、
８１…収納ケース、
８３…ケース低部、
８４…ケース側壁、
８５…上部縮径部、
８６…バヨネット片、
【図１】
2006051953.tif 000003
【図２】
2006051953.tif 000004
【図３】
2006051953.tif 000005
【図４】
2006051953.tif 000006
【図５】
2006051953.tif 000007
【図６】
2006051953.tif 000008
【図７】
2006051953.tif 000009